(57)【要約】【課題】外部から解錠を行なえる機構を、曲面状の扉板の外側表面からの突出量を抑えて設置でき、違和感のない外観にすることができる扉ロック装置を提供する。【解決手段】二つ折り扉の施錠および解錠を行なう開閉レバーを、曲面状の扉板に、左右方向にスライド可能に設け、開閉レバーの一方端７ａを、扉板に設けた長穴１３を通じて扉板の外側に露出可能にして、扉板の外側表面に表示プレート１１を上下方向にスライド可能に設け、表示プレート１１を下方向のスライド端部までスライドさせた際に、長穴１３および開閉レバーの一方端７ａを、表示プレート１１により覆って隠し、表示プレート１１を上方向のスライド端部までスライドさせた際に、長穴１３および開閉レバーの一方端７ａを扉板の外側に露出させる。【選択図】    図６
2010285832.tif 000002
【特許請求の範囲】
【請求項１】
二つ折り扉の施錠および解錠を行なう開閉レバーを、曲面状の扉板に、左右方向にスライド可能に設け、この開閉レバーの一方端を、扉板に設けた長穴を通じて扉板の外側に露出可能にして、この長穴を覆う大きさを有する表示プレートを、扉板の外側表面に、上下方向にスライド可能に設け、この表示プレートを下方向のスライド端部までスライドさせた際に、前記長穴および前記開閉レバーの一方端が、この表示プレートによって覆われて隠されるようにして、この表示プレートを上方向のスライド端部までスライドさせた際に、前記長穴および前記開閉レバーの一方端が、扉板の外側に露出するように構成した扉ロック装置。
【請求項２】
前記表示プレートを上方向のスライド端部までスライドさせた際に、この表示プレートを、上方向のスライド端部の位置で保持する保持部材を設けた請求項１に記載の扉ロック装置。
【請求項３】
前記開閉レバーを、左右方向一方のスライド端部までスライドさせた際に、扉板から左右方向一方側に突出する左右方向ロック部と、扉板から上下方向一方側に突出する上下方向ロック部とを設け、前記開閉レバーを左右方向一方のスライド端部までスライドさせることにより、前記二つ折り扉を施錠する構成にした請求項１または２に記載の扉ロック装置。
【請求項４】
使用中と空室とを表記した状況表示プレートを、前記開閉レバーの左右方向スライドに連動するように設け、前記二つ折り扉を施錠した際に、この状況表示プレートの使用中を表記した部分のみを扉板の外側表面に設けた表示穴から露出させ、前記二つ折り扉を解錠した際に、この状況表示プレートの空室を表示した部分のみを前記表示穴から露出させる構成にした請求項１〜３のいずれかに記載の扉ロック装置。
【請求項５】
前記二つ折り扉が、航空機のラバトリーの扉であり、前記表示プレートがラバトリーを表記するプレートである請求項１〜４のいずれかに記載の扉ロック装置。
【発明の詳細な説明】
【技術分野】
【０００１】
本発明は、扉の外部から解錠を行なえる機構を備えた扉ロック装置に関し、さらに詳しくは、外部から解錠を行なえる機構を、曲面状の扉板であっても、扉板の外側表面からの突出量を抑えて設置することができ、違和感のない外観にすることができる扉ロック装置に関するものである。
【背景技術】
【０００２】
航空機等のラバトリーなどは、スペースに厳しい制約があるため、できるだけコンパクトにすることが要求される。そのため、扉には、大きな可動スペースを要しない二つ折り扉が採用されている（例えば、特許文献１参照）。このようなスペースの厳しい制約の下、外側に突出した曲面状の扉板を用いれば、平面状の扉板を用いた場合より、扉内側に広いスペースを確保できる。
【０００３】
一方、航空機等のラバトリーでは、非常時などに安全の確保のため、扉の外部から解錠できることが求められる。扉の外部から解錠を行なうため、例えば、扉板の外側表面に解錠を行なう開閉レバーを露出できるように設置して、この開閉レバーを跳ね上げ式のプレートで隠す機構が用いられている。
【０００４】
しかしながら、曲面状の扉板を採用すると、跳ね上げ式のプレートの左右両端部が扉板の外側表面から突き出た状態になり、その突出量は大きくなり易いので、違和感のある外観になる。扉の外部から解錠を行なう機構は、一般の人に気づかれないことが要求されるが、突出量が大きくなる跳ね上げ式プレートでは、この要求を満足することが難しいという問題があった。
【先行技術文献】
【特許文献】
【０００５】
【特許文献１】特開平７−１１８３６号公報
【発明の概要】
【発明が解決しようとする課題】
【０００６】
本発明の目的は、外部から解錠を行なえる機構を、曲面状の扉板であっても、扉板の外側表面からの突出量を抑えて設置することができ、違和感のない外観にすることができる扉ロック装置を提供することにある。
【課題を解決するための手段】
【０００７】
上記目的を達成するため本発明の扉ロック装置は、二つ折り扉の施錠および解錠を行なう開閉レバーを、左右方向にスライド可能に曲面状の扉板に設け、この開閉レバーの一方端を、扉板に設けた長穴を通じて扉板の外側に露出可能にして、この長穴を覆う大きさを有する表示プレートを、上下方向にスライド可能に扉板の外側表面に設け、この表示プレートを下方向のスライド端部までスライドさせた際に、前記長穴および前記開閉レバーの一方端が、この表示プレートによって覆われて隠されるようにして、この表示プレートを上方向のスライド端部までスライドさせた際に、前記長穴および前記開閉レバーの一方端が、扉板の外側に露出するように構成したことを特徴とするものである。
【０００８】
ここで、前記表示プレートを上方向のスライド端部までスライドさせた際に、この表示プレートを、上方向のスライド端部の位置で保持する保持部材を設けることもできる。前記開閉レバーを、左右方向一方のスライド端部までスライドさせた際に、扉板から左右方向一方側に突出する左右方向ロック部と、扉板から上下方向一方側に突出する上下方向ロック部とを設け、前記開閉レバーを左右方向一方のスライド端部までスライドさせることにより、前記二つ折り扉を施錠する構成にすることもできる。使用中と空室とを表記した状況表示プレートを、前記開閉レバーの左右方向スライドに連動するように設け、前記二つ折り扉を施錠した際に、この状況表示プレートの使用中を表記した部分のみを扉板の外側表面に設けた表示穴から露出させ、前記二つ折り扉を解錠した際に、この状況表示プレートの空室を表示した部分のみを前記表示穴から露出させる構成にすることもできる。前記二つ折り扉は、例えば、航空機のラバトリーの扉であり、この場合には前記表示プレートはラバトリーを表記するプレートにする。
【発明の効果】
【０００９】
本発明によれば、二つ折り扉の施錠および解錠を行なう開閉レバーを、左右方向にスライド可能に曲面状の扉板に設け、この開閉レバーの一方端を、扉板に設けた長穴を通じて扉板の外側に露出可能にして、この長穴を覆う大きさを有する表示プレートを、上下方向にスライド可能に扉板の外側表面に設け、この表示プレートを下方向のスライド端部までスライドさせた際に、前記長穴および前記開閉レバーの一方端が、この表示プレートによって覆われて隠されるように構成したので、扉板の外側表面に配置されるのは表示プレートになり、曲面状の扉板であっても、扉板の外側表面から突出する量を抑えることができる。そして、表示プレートを下方向のスライド端部までスライドさせておけば、長穴および開閉レバーの存在が、扉の外部からは気づかれ難く、違和感のない外観になる。表示プレートを上方向のスライド端部までスライドさせて、扉板の外側に露出した状態になった開閉レバーの一方端を左右方向にスライドさせれば、二つ折り扉を扉の外部から解錠することができる。
【図面の簡単な説明】
【００１０】
【図１】二つ折り扉を例示する正面図である。
【図２】図１の二つ折り扉の平面図である。
【図３】本発明の扉ロック装置の組立工程を例示する説明図である。
【図４】カバー体を取付けた本発明の扉ロック装置を例示する正面図である。
【図５】図４の扉ロック装置の取付け状態を例示する側面図である。
【図６】図４の表示プレートを上方向のスライド端部までスライドさせた状態を例示する正面図である。
【図７】図６の扉ロック装置の取付け状態を例示する側面図である。
【図８】扉を解錠した際の本発明の扉ロック装置の内部構造を例示する正面図である。
【図９】図８のベースに、状況表示プレートおよびカバー板を取付けた状態を例示する正面図である。
【図１０】扉を施錠した際の本発明の扉ロック装置の内部構造を例示する正面図である。
【図１１】図１０のベースに状況表示プレートおよびカバー板を取付けた状態を例示する正面図である。
【発明を実施するための形態】
【００１１】
以下、本発明の扉ロック装置を図に示した実施形態に基づいて説明する。
【００１２】
図１、図２に例示するように、本発明の扉ロック装置５は航空機のラバトリー１に使用される二つ折り扉２（以下、扉２という）に取付けられている。
【００１３】
この扉２は、ヒンジ部材３によって連結された２枚の扉板２ａ、２ｂを有している。それぞれの扉板２ａ、２ｂは、外側に円弧状に膨出した曲面状になっている。扉板２ａ、２ｂを外側に膨出した曲面状にすることにより、扉２の内側に広いスペースを確保している。一方の扉板２ａの上面に突設されたシャフト４ａは、取付け枠２２の上縁部に設置されたガイドレールに沿って左右方向にスライドし、他方の扉板２ｂはピン４ｂによって取付け枠２２の上縁部および下縁部に軸支された構造になっている。
【００１４】
図３〜図７に例示するように扉ロック装置５は、ベース６と開閉レバー７と表示プレート１１とを備えている。この実施形態では、さらに、状況表示プレート２１を備えている。開閉レバー７はベース６に形成された貫通穴６ａを挿通して、貫通穴６ａに沿って左右方向にスライド可能に設けられている。
【００１５】
ベース６の外側表面には、上下方向に延びるガイドカバー９が固定されている。ガイドカバー９に沿って上下方向にスライドして、途中に段差を有する細板状のガイドプレート８が設けられている。ガイドプレート８の一方端部に表示プレート１１が固定されている。ガイドカバー９の背面には、板ばね１０が固定されており、ベース６の外側表面と板ばね１０との間をガイドプレート８の他方端部がスライドする。
【００１６】
ベース６を扉板２ａに内設するようにして、扉ロック装置５が扉板２ａに取付けられる。扉ロック装置５を扉板２ａに取付ける際に、ベース６の外側には扉板２ａの一部を構成するカバー板１２が取付けられる。カバー板１２には、ベース６に形成された貫通穴６ａに対応する左右方向に延びる長穴１３が形成され、別の位置に表示穴１４が形成されている。尚、図４および図６では、扉板２ａを省略して図示していない。
【００１７】
扉ロック装置５を扉板２ａに取付けることにより、開閉レバー７は、左右方向にスライド可能に扉板２ａに設けられ、表示プレート１１は、上下方向にスライド可能に扉板２ａの外側表面に設けられる。開閉レバー７の一方端７ａは、扉板２ａに設けた長穴１３を通じて扉板２ａの外側に露出可能になる。開閉レバー７の他方端７ｂは、扉板２ａの内側表面から突出して左右方向にスライド可能に設けられることになる。開閉レバー７を左右方向の一方（図６では左方向）にスライドさせることにより扉２が施錠され、他方向にスライドさせることにより扉２が解錠される。扉２の施錠および解錠については後述する。
【００１８】
表示プレート１１は、長穴１３を覆う大きさを有し、表面にはラバトリー（ＬＡＶＡＴＯＲＹ）の文字が表記されている。表示プレート１１の大きさは、例えば、幅６４ｍｍ〜６６ｍｍ、高さ２４ｍｍ〜２６ｍｍ、厚さ０．５ｍｍ〜１．０ｍｍ程度である。
【００１９】
図４および図５に例示するように、表示プレート１１を下方向のスライド端部（スライド可能な最下方位置）までスライドさせた際には、長穴１３および開閉レバー７の一方端７ａは、表示プレート１１によって覆われて隠される。したがって、扉２の外部からは、長穴１３および開閉レバー７の存在が気づかれ難くなる。
【００２０】
図６および図７に例示するように、表示プレート１１を上方向のスライド端部（スライド可能な最上方位置）までスライドさせた際には、長穴１３および開閉レバー７の一方端７ａは、扉板２ａの外側に露出する。この際に、ガイドプレート８の他方端部は、板ばね１０の付勢力によってベース６の外側表面に押圧されるので、表示プレート１１は、上方向のスライド端部の位置で保持される。このように、板ばね１０は、表示プレート１１を上方向のスライド端部の位置で保持する保持部材として機能する。
【００２１】
非常時などに扉２を外部から解錠する場合には、表示プレート１１を上方向のスライド端部までスライドさせて、扉板２ａの外側に露出した状態になった開閉レバー７の一方端７ａを右方向にスライドさせればよい。
【００２２】
本発明では、扉板２ａの外側表面に配置されるのは薄い表示プレート１１になるので、扉板２ａが曲面状であっても、表示プレート１１の扉板２ａの外側表面からの突出量を抑えることができる。そのため、表示プレート１１が不自然に目立つことがなく違和感のない外観になる。
【００２３】
この実施形態では、表示プレート１１を上方向のスライド端部までスライドさせると、その位置で保持されて落下しないので、扉２の外部から片手で解錠操作をすることができる。
【００２４】
次に、扉ロック装置５の構造を詳しく説明する。図８〜図１１に例示するように、ベース６の内部には、左右方向に延びるガイド溝１５ａと上下方向に延びるガイド溝１５ｂが形成されている。ガイド溝１５ａには、スライドプレート１６が左右方向にスライド可能に嵌め込まれている。スライドプレート１６の表面には、開閉レバー７の一方端７ａが突設されている。スライドプレート１６は、トーションばね２０によって左右方向一方（図１０および図１１では左方向）に付勢される構造になっていて、スライドプレート１６の左端部は、左右方向ロック部１６ａになっている。
【００２５】
スライドプレート１６には、斜め方向に延びるガイド穴１７が形成され、ガイド穴１７にはスプリングピン１８がスライド可能に挿通されている。ガイド溝１５ｂには、上下移動シャフト１９が上下方向にスライド可能に嵌め込まれている。上下移動シャフト１９の下端部には、ガイド穴１７に沿ってスライドするスプリングピン１８が取付けられている。上下移動シャフト１９の上端部は、上下方向ロック部１９ａになっている。上下方向ロック部１９ａは、上下移動シャフト１９と別体にして、上下移動シャフト１９と連動して上下移動するようにしてもよい。
【００２６】
また、上下移動シャフト１９の表面には、状況表示プレート２１が固定ねじ２１ａによって取付けられている。状況表示プレート２１の表面には、使用中（ＯＣＣＵＰＩＥＤ）と空室（ＶＡＣＡＮＴ）の文字が、上下に所定の間隔をあけて表記されている。
【００２７】
図８、図９に例示するように、開閉レバー７の一方端７ａを右方向にスライドさせた状態では、左右方向ロック部１６ａおよび上下方向ロック部１９ａが作用せずに、扉２は解錠された状態になる。この状態では、状況表示プレート２１の空室（ＶＡＣＡＮＴ）を表示した部分がカバー板１２の表示穴１４の位置にある。したがって、空室（ＶＡＣＡＮＴ）を表示した部分のみが、表示穴１４を通じて扉板２ａの外側表面に露出される。
【００２８】
図１０、図１１に例示するように、開閉レバー７の一方端７ａを左方向にスライドさせると、左右方向ロック部１６ａが取付け枠２２の左縁部に設けられた係止穴に係止される。開閉レバー７の一方端７ａを左側へスライドさせると、連動してスプリングピン１８はガイド穴１７に沿って上方移動し、上下移動シャフト１９も上方移動する。これにより、上下方向ロック部１９ａが取付け枠２２の上縁部に設けられた係止穴に係止される。左右方向ロック部１６ａおよび上下方向ロック部１９ａの２点が取付け枠２２に係止されるので、扉２は施錠された状態になる。
【００２９】
平面状の扉板を有する従来の二つ折り扉は、２つの左右方向ロック部を備えており、扉を施錠する際には、１つの左右方向ロック部を左方向にスライドさせて取付け枠の左縁部に係止させ、もう１つの左右方向ロック部を右方向にスライドさせて、連結した別の扉板に係止させていた。しかしながら、曲面状の扉板２ａ、２ｂを有する扉２では、左右両方向にロック部をスライドさせて係止させることが困難になる。そこで、本発明では、上述したように左右方向ロック部１６ａおよび上下方向ロック部１９ａによって施錠を行なうようにしている。
【００３０】
この実施形態では、上下方向ロック部１９ａを上方移動させて、取付け枠２２の上縁部に係止させているが、下方移動させて、取付け枠２２の下縁部に係止させることもできる。
【００３１】
状況表示プレート２１は、開閉レバー７の左右方向スライドに連動して移動するので、この状態では、状況表示プレート２１の使用中（ＯＣＣＵＰＩＥＤ）を表示した部分がカバー板１２の表示穴１４の位置にある。したがって、使用中（ＯＣＣＵＰＩＥＤ）を表示した部分のみが、表示穴１４を通じて扉板２ａの外側表面に露出される。
【００３２】
本発明の扉ロック装置５は、航空機のラバトリー１に設置される二つ折り扉の他に、例えば、バス、列車、船等乗り物やのラバトリーに設置される二つ折り扉に用いることができる。また、ラバトリー１に限らず、住宅用のユニットバス等など様々な場所に設置される二つ折り扉に用いることができる。
【符号の説明】
【００３３】
１  ラバトリー
２  二つ折り扉
２ａ、２ｂ  扉板
３  ヒンジ部材
４ａ  シャフト
４ｂ  ピン
５  扉ロック装置
６  ベース
６ａ  貫通穴
７  開閉レバー
７ａ  一方端
７ｂ  他方端
８  ガイドプレート
９  ガイドカバー
１０  板ばね
１１  表示プレート
１２  カバー板
１３  長穴
１４  表示穴
１５ａ、１５ｂ  ガイド溝
１６  スライドプレート
１６ａ  左右方向ロック部
１７  ガイド穴
１８  スプリングピン
１９  上下移動シャフト
１９ａ  上下方向ロック部
２０  トーションばね
２１  状況表示プレート
２１ａ  固定ねじ
２２  取付け枠
【図１】
2010285832.tif 000003
【図２】
2010285832.tif 000004
【図３】
2010285832.tif 000005
【図４】
2010285832.tif 000006
【図５】
2010285832.tif 000007
【図６】
2010285832.tif 000008
【図７】
2010285832.tif 000009
【図８】
2010285832.tif 000010
【図９】
2010285832.tif 000011
【図１０】
2010285832.tif 000012
【図１１】
2010285832.tif 000013